(57)【特許請求の範囲】
【請求項１】
カバー部と前記カバー部から下に延びる１本以上の足を有する固定用キャップであって、
前記固定用キャップは、波型の壁と床枠または天井枠に係合する１つ以上の突起を有し、
ここにおいて前記固定用キャップは、壁を床枠または天井枠に固定するため、前記壁内の２つの隣接する波型と床枠または天井枠の間に形成される１つの空間に位置決め可能かつ制限されており、
前記固定用キャップは、前記１つの空間を取り囲み、
前記固定用キャップは、前記壁の前記床枠または天井枠との固定を促進するため、前記壁と前記床枠または天井枠と接するスナップ・フィット構造によって係合可能である、
ことを特徴とする固定用キャップ。
【請求項２】
隣接する波型の間の前記１つの空間のそれぞれに、個別の固定用キャップが必要とされる、ことを特徴とする請求項１に記載の固定用キャップ。
【請求項３】
前記カバー部から下に延びる前記１本以上の足の内、２本の足が前記カバー部の１方の側面から伸長し、リップが前記カバー部の対向する側面に形成される、ことを特徴とする請求項１又は２に記載の固定用キャップ。
【請求項４】
３つの細長いフランジが前記カバー部の前記リップと同じ側面にあり、前記細長いフランジと前記リップが協働して前記固定用キャップを前記床枠または天井枠に固定する、ことを特徴とする請求項３に記載の固定用キャップ。
【請求項５】
前記脚のそれぞれの自由端は、所定の位置では前記床枠または天井枠に接する、ことを特徴とする請求項３に記載の固定用キャップ。
【請求項６】
前記固定用キャップは弾性変形可能であり、前記壁の前記波型と前記床枠または天井枠との間に形成される前記１つの空間に適合し収容され、前記壁の前記床枠または天井枠への固定を促進する、ことを特徴とする請求項１又は２に記載の固定用キャップ。
【請求項７】
連続する壁を形成するのに用いられる複数の波型壁パネルと、
床または天井にそれぞれ固定可能な床枠または天井枠と、そして、
前記カバー部から下に延びる１本以上の足を有する固定用キャップと、
を有し、
前記固定用キャップは、波型の壁と床枠または天井枠に係合する１つ以上の突起を有し、
ここにおいて前記固定用キャップは、壁を床枠または天井枠に固定するため、前記壁内の２つの隣接する波型と床枠または天井枠の間の１つの空間に位置決め可能かつ制限されており、
前記固定用キャップは、前記１つの空間を取り囲み、
前記固定用キャップは、前記壁の前記床枠または天井枠との固定を促進するため、前記壁と前記床枠または天井枠と接するスナップ・フィット構造によって係合可能である、
ことを特徴とする壁面組立体システム。
【請求項８】
前記固定用キャップは、前記カバー部の１方の側面から下に延びる２本の足を有し、そしてリップが前記カバー部の対向する側面に形成される、ことを特徴とする請求項７に記載の壁面組立体システム。
【請求項９】
前記固定用キャップは、３つの細長いフランジを前記カバー部の前記リップと同じ側面に有し、前記細長いフランジと前記リップは協働して前記固定用キャップを前記床枠または天井枠に固定する、ことを特徴とする請求項８に記載の壁面組立体システム。
【請求項１０】
前記固定用キャップが所定の位置にある時、前記脚のそれぞれの自由端は、前記床枠または天井枠に隣接する、ことを特徴とする請求項８に記載の壁面組立体システム。
【請求項１１】
前記固定用キャップは弾性変形可能であり、前記壁の前記波型と前記床枠または天井枠との間に形成される前記１つの空間に適合し収容され、前記壁の前記床枠または天井枠への固定を促進する、ことを特徴とする請求項７に記載の壁面組立体システム。
【請求項１２】
単一の固定用キャップが、前記壁のいずれかの側において前記波型の間に形成される単一の空間に配置可能である、ことを特徴とする請求項７に記載の壁面組立体システム。
【請求項１３】
前記床枠または天井枠は、内部に前記壁を取り付ける溝を形成し、また、前記固定用キャップの突起と係合させるための長手方向に配された内側リブを対向する両側面に有する、ことを特徴とする請求項７に記載の壁面組立体システム。
【請求項１４】
前記突起は、前記溝の前記内側リブの下に接し、それにより、前記壁を前記床枠または天井枠に固定する、ことを特徴とする請求項７に記載の壁面組立体システム。
【請求項１５】
１枚以上の壁パネルで形成された連続する壁と、
床または天井にそれぞれ固定され、内部に連続した壁パネルが位置決め可能な床枠または天井枠と、
前記カバー部から下に延びる１本以上の足を有する固定用キャップと、
を有し、
前記固定用キャップは、波型の壁と床枠または天井枠に係合する１つ以上の突起を有し、
ここにおいて前記固定用キャップは、壁を床枠または天井枠に固定するため、前記壁内の２つの隣接する波型と床枠または天井枠の間の１つの空間に位置決め可能かつ制限されており、
前記固定用キャップは、前記１つの空間を取り囲み、
前記固定用キャップは、前記壁の前記床枠または天井枠との固定を促進するため、前記壁と前記床枠または天井枠と接するスナップ・フィット構造によって係合可能である、
ことを特徴とする壁面組立体。
【請求項１６】
請求項１５に記載の壁面組立体を組立てる方法であって、
前記連続した壁を前記床枠または天井枠内に取り付けるステップと、
前記壁と前記床枠または天井枠の間に形成された１つの空間内に前記固定用キャップを固定して、前記壁を前記床枠または天井枠に係合かつ固定するステップと、
を有することを特徴とする方法。
【請求項１７】
請求項１５に記載の複数の壁面組立体を有し、屋根ふき手段をさらに有することを特徴とするビルまたは倉庫。
【発明の詳細な説明】
【技術分野】
【０００１】
本発明は、壁および構造物の組立に関する。本発明は、特に、ビルおよび倉庫を区画するための壁および仕切の組立体へ特に適用されるが、それ専用ではない。例示として、本明細書中では貯蔵システムや貯蔵倉庫およびビルを参照しているが、本発明は、この用途に限定されない。
【背景技術】
【０００２】
貯蔵倉庫およびビルは、一般的に、リベットやネジで互いに固定された複数の波型の金属パネルを含む。連続したパネルは、ネジまたはリベットを用いて床溝に固定され、集合壁を形成する。これらの壁は、貯蔵目的の区画を仕切り、確保する役目を果たす。パネルを固定するのにリベットおよびネジを用いる必用があるのは、労働集約的でありコストがかかる。
【０００３】
その結果、隣り合うパネル同士が互いに固定しあい、留め具を使う必要をなくすべく、端部固定用の折返し型フランジを有するパネルを使用した、特許文献１に開示された建築システムが開発された。
【０００４】
それにもかかわらず、未だにパネルを壁面組立用の床溝に固定する必要がある。ネジおよびリベットを用いて固定して壁を直立させるには時間がかかるし、対向する壁と壁の間の通路で邪魔になる目障りに突起した複数の留め具を壁面に設けることになる。
【０００５】
本発明の目的は、少なくとも一部において１つ以上の上記課題を解決するような壁面組立体を提供することである。
【特許文献１】オーストラリア特許第７０５７３４号
【発明の開示】
【０００６】
本発明の一態様は、広義には、壁と床枠または天井枠の間に位置決めされ、この壁と床枠または天井枠と係合して、係合された固定用キャップがこの壁を床枠または天井枠に固定する固定用キャップを含む。
【０００７】
固定用キャップは、好適には壁と床枠または天井枠の間に位置決めされ、この壁と床枠または天井枠に係合して、壁を床枠または天井枠に固定する。
【０００８】
固定用キャップは、スナップ・フィットを含む適当な手段で、壁を床枠または天井枠に係合し、固定することができる。固定用キャップは、固定用突起によって、壁を床枠または天井枠に係合し、固定するのが好ましい。
【０００９】
本発明の他の態様は、広義には、壁と床枠または天井枠との間に位置決め可能で、この壁と床枠または天井枠に係合可能な固定用キャップであって、係合することにより、固定用キャップが壁と床枠または天井枠に固定され、それによって、壁が床枠または天井枠に固定される、固定用キャップを含む。
【００１０】
固定用キャップは、壁と床枠または天井枠に係合する一つ以上の突起を有することが好ましい。固定用キャップは、各側面に２つの離間した突起を有するのが好ましい。
【００１１】
固定用キャップは、カバー部と、このカバー部から下に延びる１本以上の足を有するのが好ましい。この１本以上の足は、壁を床枠または天井枠に、スナップ・フィットによって係合かつ固定するための１つ以上の弾性変形可能な固定突起を有するのが好ましい。各々の突起は、この１本以上の足から横向きに外側に向けて延びるのが好ましい。各々の突起は、床枠または天井枠に係合できるように足の上に位置決めされるのが好ましい。カバー部は、追加の固定支持を提供するため、その接触長さに亘って、壁と床枠または天井枠に接するのが好ましい。
【００１２】
固定用キャップは、壁と床枠または天井枠の間が固定用キャップより小さなスペースでも固定用キャップと異なる形状でも、その間に嵌合できるように弾性変形可能であることが好ましい。
【００１３】
カバー部は、壁と床枠または天井枠との間のスペースまたは隙間を実質的に閉じることが可能で、それによって塵やくずの堆積を防ぐことができるのが好ましい。
【００１４】
本発明の他の態様は、広義において、
連続した壁を形成するのに用いられる複数の壁パネルと、
床または天井にそれぞれ固定可能な床枠または天井枠と、
壁と床枠または天井枠の間に位置決め可能で、それぞれが壁と床枠または天井枠の間にスナップ・フィットするように構成され、それによって、この壁を床枠または天井枠に固定する複数の固定用キャップと、
を有する壁面組立体システム、を含む。
【００１５】
固定用キャップは、上記の形状とは異なる１つ以上の形状を含むのが好ましい。
【００１６】
壁は、１つ以上の弾性変形可能な固定突起を配置するための少なくとも１つの開口を有するのが好ましい。この壁の開口は、平らでない床に適合するように大きめであるのが好ましい。壁の開口は細長く、突起の幅よりも広いのが好ましい。
【００１７】
壁パネルが波型の場合、固定用キャップのカバー部は、波型の間に形成されるスペース内に固定するのに適した形状であることが好ましい。複数の固定用キャップは、廊下に用いられるのが好ましいＵ字型の壁パネルを用いて、Ｕ字型のパネル壁内で互いに隣接して固定されるのが好ましい。好適には仕切および部屋壁を形成するのに使用される成型、波型またはＳ字型の壁パネルに対しては、成型、波型またはＳ字型のパネル壁の交互の側に連続して配置されるように、固定用キャップは、各々の画定されたスペース内に嵌合されるのが好ましい。
【００１８】
床枠または天井枠は、固定用キャップの突起と係合させるために、長手方向に配されたリブを対向する側面の内側に有することが好ましい。床枠または天井枠は、その内部に壁を取り付ける溝を形成するのが好ましい。好適には係合することにより突起は溝の内側リブの下に接し、それによって壁を床枠または天井枠に固定する。より好適には、突起は溝の内側リブの下に接し、突起の少なくとも一つが壁の開口を通り抜ける。
【００１９】
他の形態において、壁面組立体システムは、
連続する壁を形成するのに用いられる複数の壁パネルと、
床または天井にそれぞれ固定可能な床枠または天井枠と、
前記壁と前記床枠または天井枠の間に位置決め可能で、それぞれが前記壁と前記床枠または天井枠の間でスナップ・フィットするように構成され、それによって、前記壁を前記床枠または天井枠に固定する複数の固定用キャップと、
を有し、この固定用キャップは、カバー部と前記カバー部から下に延びる１本以上の足を有し、前記１本以上の足は、前記壁を前記床枠または天井枠に、スナップ・フィットによって係合かつ固定する１つ以上の弾性変形可能な固定突起を有し、前記１つ以上の突起は前記１本以上の足から横向きに外側に向けて延びることを特徴とする。
【００２０】
他の形態において、壁面組立体システムは、
連続する壁を形成するのに用いられる複数の壁パネルと、
床または天井にそれぞれ固定可能な床枠または天井枠と、
前記壁と前記床枠または天井枠の間に位置決め可能で、それぞれが前記壁と前記床枠または天井枠の間でスナップ・フィットするように構成され、それによって、前記壁を前記床枠または天井枠に固定する複数の固定用キャップと、
を有し、この固定用キャップは、カバー部と前記カバー部から下に延びる１本以上の足を有し、前記１本以上の足は、前記壁を前記床枠または天井枠に、スナップ・フィットによって係合かつ固定する１つ以上の弾性変形可能な固定突起を有し、前記１つ以上の突起は前記１本以上の足から横向きに外側に向けて延び、このカバー部は、追加的な固定支持を提供するため、その接触長さに亘って、壁と床枠または天井枠に接触するよう位置決め可能である、ことを特徴とする。
【００２１】
他の形態において、壁面組立体システムは、
連続する壁を形成するのに用いられる複数の壁パネルと、
床または天井にそれぞれ固定可能な床枠または天井枠と、
前記壁と前記床枠または天井枠の間に位置決め可能で、それぞれが前記壁と前記床枠または天井枠の間でスナップ・フィットするように構成され、それによって、前記壁を前記床枠または天井枠に固定する複数の固定用キャップと、
を有し、この固定用キャップは、カバー部と前記カバー部から下に延びる１本以上の足を有し、前記１本以上の足は、前記壁を前記床枠または天井枠に、スナップ・フィットによって係合かつ固定する１つ以上の弾性変形可能な固定突起を有し、前記１つ以上の突起は前記１本以上の足から横向きに外側に向けて延び、このカバー部は、追加的な固定支持を提供するため、その接触長さに亘って、壁と床枠または天井枠に接触するよう位置決め可能であり、ここで、カバー部は前記壁と前記床枠または天井枠の間の隙間を実質的に閉じることができ、それによって塵やくずの堆積を防止する、ことを特徴とする。
【００２２】
他の態様において、本発明は、広義には、
１枚以上の壁パネルで形成された連続する壁と、
床または天井にそれぞれ固定され、内部に連続した壁パネルが位置決め可能な床枠または天井枠と、
前記壁と前記床枠または天井枠の間に位置決めされ、それぞれ前記壁と前記床枠または天井枠の間でスナップ・フィットするように構成され、それによって、前記壁を前記床枠または天井枠に固定する複数の固定用キャップと、を有することを特徴とする壁面組立体、を含む。
【００２３】
連続した壁パネル・セクション、床枠または天井枠および固定用キャプは、上述とは異なる１つ以上の形状を含むのが好ましい。
【００２４】
他の形態において、本発明は、広義には、
上記の連続した壁を上記の床枠または天井枠内に取り付けるステップと、
前記壁と前記床枠または天井枠の間に形成されたスペース内に前記固定用キャップを固定して、前記壁を前記床枠または天井枠に係合かつ固定するステップと、を有することを特徴とする壁面を組立てる方法、を含む。
【００２５】
他の態様において、本発明は、広義には、上記の複数の壁組立体と屋根ふき手段とを有することを特徴とするビルまたは倉庫の構造を含む。好ましい実施形態では、この構造は、回廊または廊下の壁を形成するためのＵ字型のパネルと、仕切と部屋壁を形成するための成型、波型またはＳ字型のパネルとを有するビルである。
【００２６】
壁面組立体における固定用キャップの使用により、壁を床枠または天井枠に固定するための固定具の使用を無くし、または限定することもできる。
【００２７】
（図面の簡単な説明）
本発明の理解を容易にし、実用化するために、以下、添付の図面を参照する。
図１は、本発明の好ましい実施形態の固定用キャップの略図である。
図２は、本発明の好ましい実施形態の固定用キャップの略図である。
図３は、本発明の好ましい実施形態の固定用キャップの略図である。
図４は、本発明の好ましい実施形態の固定用キャップの略図である。
図５は、波型またはＳ字型の壁パネルの略図であり、（ａ）はパネルの基部の正面図であり、（ｂ）は、パネルの上部の正面図であり、（ｃ）はパネルの平面図である。
図６は、波型またはＳ字型の壁パネルの略図であり、（ａ）は、その正面図であり、（ｂ）は、その斜視図である。
図７は、波型またはＳ字型の壁パネル内に配置された固定用キャップの正側面図である。
図８は、波型またはＳ字型の壁パネル内に配置された固定用キャップの正側面図である。
図９は、波型またはＳ字型の壁パネル内に配置された固定用キャップの正側面図である。
図１０は、波型またはＳ字型の壁パネル内に配置された固定用キャップの正側面図である。
図１１は、波型またはＳ字型の壁パネル内に配置された固定用キャップの正側面図である。
図１２は、波型またはＳ字型の壁パネル内に配置された固定用キャップの断面図である。
図１３は、波型またはＳ字型の壁パネル内に配置された固定用キャップの断面図である。
図１４は、壁パネル内に配置された固定用キャップの、図１０のＡでの切欠き図である。
図１５は、壁パネル内に配置された固定用キャップの、図７のＢでの切欠図である。
【発明を実施するための最良の形態】
【００２８】
図１乃至５を参照すると、壁パネル内に固定されて波型に適合するために凹部１２を有して成形されたカバー１１を備える固定用キャップ１０が図示されている。固定用キャップ１０は、カバー１１の一方の側面から横向きに延びる２本の細長い足１３を有する。細長い足１３は、固定用キャップ１０が壁パネル内に位置決めされたときに、各足の自由端部が床枠または天井枠に接するように、カバー１１の一方の側面１５から横向きに延びる。他の実施形態において、細長い足は短く、固定用キャップが壁パネル内に位置決めされたときに、足から外側に延在する突起が床枠または天井枠の内側リブと係合可能な長さまで延びる。
【００２９】
細長い足１３は、各足１３から外側に延びる突起１４を有する。突起１４は、カバー１１と足１３の中央部分との間の一部分で各足１３に沿って外側に延びる。突起１４は、壁パネルの開口を通り抜け、床枠または天井枠内の内側リブに固定される。
【００３０】
固定用キャップ１０は、また、実質的に足１３の反対側側面１６に隣接してカバー１１から横向きに延びる２つのフランジ１７を有する。フランジ１７は、それぞれ離間して隣接する他の端部１８，１９に対して実質的に横向きに延びる。フランジ１７は、各フランジ１７から外側に延びる細長い突起２１を有する。リップ２４は、カバー１１の側面１６およびフランジ１７によって形成される。リップ２４および細長い突起２１は、壁パネル内の所定の位置に固定用キャップ１０を固定する役割を果たす。
【００３１】
固定用キャップ１０もまた、カバー１１の側面１６から実質的に隣接して横向きに延びるフランジ２６を有する。フランジ２６は、実質的に中央に位置される。フランジ２６は、細長い突起２７を有する。フランジ２６は、フランジ１７と同様の機能を備えるが、壁パネル内への固定の間、固定用キャップ１０を所定の位置に保つ役割も果たす。
【００３２】
図５を参照すると、異なる図によるＳ字型（波型）の壁パネル３０が示されている。図５（ｃ）は、壁パネルの平面図を示す。Ｓ字型または波型の壁パネル３０は、壁パネル３０の交互の側に窪んだスペース３１を形成する。壁パネル３０の波型３２は、壁パネル３０に追加的強度を提供する。壁パネル３０の上部および基部の開口３３は、固定用キャップから延びる突起が開口を貫通して、壁パネルを床枠または天井枠に固定することを可能にする。図６は、波型のパネルの他の図を示す。
【００３３】
図７乃至１１を参照すると、Ｓ字型または波型の壁パネル４１と、実質的にＵ字型の溝床枠４２と、壁パネル４１の交互の側にある壁パネルの凹部４４内の所定の位置に固定される固定用キャップ４３とを含む壁面組立体４０を示す。
【００３４】
図１２乃至１５をさらに参照すると、壁パネル３０は、取り付け位置では、その下縁近傍にホタテ貝のようにカーブした部分４６を有し、パネル３０が溝の長さ方向に沿って自由に移動でき、かつ、固定具で床に固定できる。
【００３５】
固定用キャップ５５は、壁パネル５０内の多数の位置に配置され得る。固定用キャップ５５は、端部フランジ５６がＵ字型の溝床枠４２の側面５１の一方を超えて延び、一方中央フランジ５７が側面５１の内側表面に位置決めされることにより、固定用キャップ５５を所定の位置に保持するように壁パネル５０内に配置され得る。あるいは、端部フランジ５６と中央フランジ５７の両方が側面５１の外側面または内側面に配置され得る。
【００３６】
端部フランジ５６および中央フランジ５７の両方は、折返し型フランジ４８に係合し隣接可能な突起５８を有する。
【００３７】
細長い足６０は、カバー部６１から延びて、壁パネル５０内の開口６３を貫通し、折り返し型フランジ４８に嵌合することができる突起６２を有する。開口６３は、平らでない床またはちょっとした形状の変化に適応するように大きめになっている。細長い足６０は、溝床枠４２の基部４７に隣接する自由端部６４を有する。細長い足６０の隣接は、固定用キャップ５５を壁パネルおよび床枠内へ的中するように位置決めするのに役立つ。端部フランジ５６と中央フランジ５７が溝床枠の一方の側面５１に係合し、足６０上の突起６２が壁パネル５０を貫通して溝床枠４２の他方の側面５１上の折返し型フランジ４８に係合して隣接することにより、壁パネル５０は溝床枠４２に対して所定の位置に固定される。
【００３８】
上記の壁面組立体４０は、壁パネル５０の交互の側の連続する窪んだスペース４４に固定用キャップ５５が固定される、仕切り壁と部屋壁に使用可能である。壁パネル５０を溝床枠４２にさらに強固に固定するために、固定ネジ７０が３つの構成要件全てに取り付けられていてもよい。
【００３９】
固定用キャップ５５は、また、複数の固定用キャップ５５をＵ字型壁パネル内で互いに隣接するように位置決めすることにより、Ｕ字型の壁パネル（図示せず）を溝床枠または天井枠に固定するのに用いられ得る。Ｕ字型壁パネルを溝床枠または天井枠に固定する方法は、Ｓ字型壁パネルを固定するのと同様の方法である。Ｕ字型壁パネルは、回廊および廊下に用いられるのが好ましい。
【００４０】
壁面組立体によって、壁および枠を固定するのに必要な固定具の数を最小限にして、ビルおよび倉庫を比較的素早く組み立てることができる。固定用キャップは、また、塵やくずがＵ字型溝内に集まるのを実質的に防止して、壁を美しく仕上げる。
【００４１】
優位性
本発明の好ましい実施形態によれば、固定用キャップは、固定具を用いずに、壁パネルを床溝に固定することができ、塵やくずが床溝に集まるのを防止でき、さらに、醜い固定具を隠すことができる。さらに、固定用キャップの好ましい実施形態は、壁を接触長さに亘って隣接させ、かつ固定し、それにより単独の固定ポイントに頼るよりも、確実に固定できるようにする。
【００４２】
変形例
上記の説明は本発明の例示であるが、当該技術分野における技術者に明らかな上記の変更およびその他の変更、およびそれらの変形は全て、当然、本明細書中に記載された本発明の広義の範囲および外延に含まれるものと理解される。
【００４３】
本明細書の記載および請求項を通して、「含む」という用語およびその変化形である「有する」および「含んでいる」等は、他の添加物、成分、完全体、または工程を排除するものではない。
【図面の簡単な説明】
【００４４】
本発明の理解を容易にし、実用化するために、以下、添付の図面を参照する。
【図１】本発明の好ましい実施形態の固定用キャップの略図である。
【図２】本発明の好ましい実施形態の固定用キャップの略図である。
【図３】本発明の好ましい実施形態の固定用キャップの略図である。
【図４】本発明の好ましい実施形態の固定用キャップの略図である。
【図５ａ−ｃ】波型またはＳ字型の壁パネルの略図であり、（ａ）はパネルの基部の正面図であり、（ｂ）は、パネルの上部の正面図であり、（ｃ）はパネルの平面図である。
【図６ａ−ｂ】波型またはＳ字型の壁パネルの略図であり、（ａ）は、その正面図であり、（ｂ）は、その斜視図である。
【図７】波型またはＳ字型の壁パネル内に配置された固定用キャップの正側面図である。
【図８】波型またはＳ字型の壁パネル内に配置された固定用キャップの正側面図である。
【図９】波型またはＳ字型の壁パネル内に配置された固定用キャップの正側面図である。
【図１０】波型またはＳ字型の壁パネル内に配置された固定用キャップの正側面図である。
【図１１】波型またはＳ字型の壁パネル内に配置された固定用キャップの正側面図である。
【図１２】波型またはＳ字型の壁パネル内に配置された固定用キャップの断面図である。
【図１３】波型またはＳ字型の壁パネル内に配置された固定用キャップの断面図である。
【図１４】壁パネル内に配置された固定用キャップの、図１０のＡでの切欠き図である。
【図１５】壁パネル内に配置された固定用キャップの、図７のＢでの切欠図である。
【符号の説明】
【００４５】
１１      カバー部
１２      くぼみ
１０      固定用キャップ
１３      足
１７，２６       フランジ
１４，２７       突起
３０      Ｓ字型壁パネル
３２      波型
３３      開口
【図１】
0005113041.tif 000002
【図２】
0005113041.tif 000003
【図３】
0005113041.tif 000004
【図４】
0005113041.tif 000005
【図５ａ−ｃ】
0005113041.tif 000006
【図６ａ−ｂ】
0005113041.tif 000007
【図７】
0005113041.tif 000008
【図８】
0005113041.tif 000009
【図９】
0005113041.tif 000010
【図１０】
0005113041.tif 000011
【図１１】
0005113041.tif 000012
【図１２】
0005113041.tif 000013
【図１３】
0005113041.tif 000014
【図１４】
0005113041.tif 000015
【図１５】
0005113041.tif 000016